(57)【要約】【課題】クリック機構付きの押しボタンスイッチを採用しても、そのクリック音が誤って録音されることを防止することができる音声信号記録装置を提供する。【解決手段】マイクロホーン１１からの音声信号を半導体メモリ９に記録する記録部１０と、録音の開始を指示するための録音開始ボタン６１ｋと、録音開始ボタン６１ｋからの信号に基づいて、録音開始ボタン６１ｋが押された後、所定時間経過してからマイクロホーン１１からの音声信号が半導体メモリ９に記録されるように記録１０を制御する制御部３０とを備える。【選択図】図１
2008033353.tif 000002
【特許請求の範囲】
【請求項１】
音声信号を入力するマイクロホーンと、
前記マイクロホーンにより入力された音声信号を遅延させるバッファメモリと、
前記バッファメモリから出力された遅延した音声信号を記録媒体に記録する記録手段と、
音声信号の記録開始を指示するための第１の押しボタンスイッチと、
前記第１の押しボタンスイッチが押された場合、第１の所定時間が経過した後に前記遅延した音声信号が前記記録媒体に記録が開始されるように前記記録手段を制御するとともに、音声信号の記録開始後に当該第１の押しボタンスイッチが離された場合、第２の所定時間が経過した後に第３の所定時間の間だけ音声信号の記録を停止し、その後に音声信号の記録を再開するように当該記録手段を制御する制御手段とを有する
ことを特徴とする音声信号記録装置。
【請求項２】
前記第１の所定時間は、前記バッファメモリによる遅延時間と前記第１の押しボタンスイッチが押されたときに生じるクリック音が十分に小さくなる時間に基づいて決定される
ことを特徴とする請求項１記載の音声信号記録装置。
【請求項３】
前記第２の所定時間は前記バッファメモリによる遅延時間に基づいて決定されるとともに、
前記第３の所定時間は前記第１の押しボタンスイッチが離されたときに生じるクリック音が十分に小さくなる時間に基づいて決定される
ことを特徴とする請求項１記載の音声信号記録装置。
【請求項４】
音声信号の記録停止を指示するための第２の押しボタンスイッチをさらに有し、
前記制御手段は、音声信号の記録中に前記第２の押しボタンスイッチが押された場合、第４の所定時間が経過した後に音声信号の記録を停止するように前記記録手段を制御し、
前記第４の所定時間は前記バッファメモリによる遅延時間に基づいて決定される
ことを特徴とする請求項１記載の音声信号記録装置。
【請求項５】
前記第１の押しボタンスイッチと前記第２の押しボタンスイッチは、同一の押しボタンスイッチからなる
ことを特徴する請求項４記載の音声信号記録装置。
【請求項６】
前記マイクロホーンからの音声信号を音声データに変換するアナログ／ディジタル変換手段をさらに有し、
前記記録媒体は音声データを記憶する半導体メモリからなり、
前記制御手段は前記半導体メモリへの音声データの記録を制御する
ことを特徴とする請求項１記載の音声信号記録装置。
【発明の詳細な説明】
【技術分野】
【０００１】
本発明は、クリック機構付きの押しボタンスイッチを採用した音声信号記録装置に関する。
【背景技術】
【０００２】
例えば携帯用等の小型のテープレコーダや、書込が可能な光磁気ディスク装置等の音声信号記録装置では、録音するためのマイクロホーンが内蔵、すなわちそれらの筐体に配設されている。また、録音開始ボタンスイッチや録音停止ボタンスイッチ等の操作用の押しボタンスイッチも筐体に配設されている。
【０００３】
これらの押しボタンスイッチとしては、操作したことを利用者に確認させ、操作の確実性を向上させるために、押しボタンスイッチを押したことが肌で感じられる、いわゆるクリック機構が付いた押ボタンスイッチが用いられている。
【０００４】
【特許文献１】特開平７−９３９５９号公報
【発明の開示】
【発明が解決しようとする課題】
【０００５】
上述した小型の音声信号録音装置では、小型であるゆえに、マイクロホーンと例えば録音開始ボタンスイッチの距離を余り確保することができず、クリック音が録音されてしまうことが多かった。
【０００６】
具体的には、図７（Ａ）に示すように、録音開始ボタンスイッチを時刻ｔ1で押して、時刻ｔ2で離し、録音停止ボタンスイッチを、図７（Ｂ）に示すように、時刻ｔ3で押して、時刻ｔ4で離すと、図７（Ｃ）に示すように、時刻ｔ1、ｔ2、ｔ3、ｔ4においてそれぞれ最大振幅を有し、振幅が徐々に減衰しながら時間Ｔ間継続する音が発生する。したがって、マイクロホーンには、図７（Ｄ）に示すように、録音しようとする音にクリック音が重畳した音が入力される。一方、録音は、図７（Ｅ）に示すように、時刻ｔ1から時間Δ1 遅れて録音開始ボタンスイッチが確定することにより開始し、時刻ｔ3 から時間Δ2 遅れて録音停止ボタンスイッチが確定することにより終了する。かくして、図７（Ｆ）に示すように、クリック音が３か所に重畳された音が録音される。
【０００７】
このように、小型のマイクロホーンを内蔵した音声信号記録装置では、操作感触を向上させるためにクリック機構付きの押しボタンスイッチを採用すると、その押しボタンスイッチのクリック音が不用に録音されるという問題があった。
【０００８】
そこで、本発明は、上述した従来の音声信号記録装置における実情に鑑みてなされたものであり、クリック機構付きの押しボタンスイッチを採用しても、そのクリック音が誤って録音されることを防止することができる音声信号記録装置を提供することを目的とする。
【課題を解決するための手段】
【０００９】
本発明に係る音声信号記録装置は、上述のような課題を解決すべく、音声信号を入力するマイクロホーンと、前記マイクロホーンにより入力された音声信号を遅延させるバッファメモリと、前記バッファメモリから出力された遅延した音声信号を記録媒体に記録する記録手段と、音声信号の記録開始を指示するための第１の押しボタンスイッチと、前記第１の押しボタンスイッチが押された場合、第１の所定時間が経過した後に前記遅延した音声信号が前記記録媒体に記録が開始されるように前記記録手段を制御するとともに、音声信号の記録開始後に当該第１の押しボタンスイッチが離された場合、第２の所定時間が経過した後に第３の所定時間の間だけ音声信号の記録を停止し、その後に音声信号の記録を再開するように当該記録手段を制御する制御手段とを有する。
【００１０】
そして、この音声信号記録装置では、制御手段により第１の押しボタンスイッチが押された後、所定時間経過してからマイクロホーンからの音声信号が記録媒体に記録されるように制御されていることから、第１の押しボタンスイッチを押した際に発生するクリック音が記録媒体に記録されることが防止される。
【発明の効果】
【００１１】
本発明によれば、本発明に係る音声信号記録装置は、制御手段により第１の押しボタンスイッチが押された後、所定時間経過してからマイクロホーンからの音声信号が記録媒体に記録されるように制御されていることから、第１の押しボタンスイッチを押した際に発生するクリック音が記録媒体に記録されることを防止することができる。
【発明を実施するための最良の形態】
【００１２】
以下、本発明に係る音声信号記録装置の実施の形態について、図面を参照しながら詳細に説明する。この音声信号記録装置は、半導体メモリを記録媒体とし、この半導体メモリにマイクロホーンからの音声信号を音声データとして書き込み、また、記憶されている音声データを読み出し、スピーカから音声データに基づく音を出力するＩＣレコーダ１に、本発明を適用したものである。
【００１３】
このＩＣレコーダ１は、例えば図１に示すように、マイクロホーン１１からの音声信号を音声データに変換して半導体メモリ９に記憶する記録部１０と、上記半導体メモリ９に記憶されている音声データを読み出し、音声信号に変換してスピーカ２４を駆動する再生部２０と、記録部１０等を制御する制御部３０と、動作状態や操作手順を表示するための表示部４０と、制御部３０等に電力を供給する電源部５０と、利用者が各種の操作を行うための操作部６０とを備える。
【００１４】
記録部１０は、上述の図１に示すように、マイクロホーン１１からの音声信号を増幅する増幅器１２と、増幅器１２で増幅された音声信号のレベルを適切なレベルとする自動利得制御回路（以下、ＡＧＣ：Automatic Gain Controllerという。）１３と、ＡＧＣ１３からの音声信号を音声データに変換するエンコーダ１４と、エンコーダ１４からの音声データを遅延するバッファメモリ１５とを備える。
【００１５】
そして、マイクロホーン１１は、入力される音を音声信号に変換して増幅器１２に供給し、増幅器１２は、音声信号を増幅してＡＧＣ１３に供給する。ＡＧＣ１３は、増幅器１２で増幅された音声信号を、そのレベルが適切なレベルとなるように増幅してエンコーダ１４に供給する。
【００１６】
エンコーダ１４は、音声信号が時間的に相関が強いことから、例えば適応型差分パルスコードモジュレーション（以下、ＡＤＰＣＭ：Adaptive DifferentialPulse Code Modulation という。）により、少ないデータ量で音声信号を符号化して音声データを生成し、この音声データをバッファメモリ１５に供給する。
【００１７】
バッファメモリ１５は、後述するように所定の遅延時間に相当する容量を有し、エンコーダ１４から供給される音声データを所定時間遅延して半導体メモリ９に供給する。
【００１８】
半導体メモリ９は、例えば電気的消去形（エレクトリカル・イレーザブル）プログラマブル・リード・オンリ・メモリ（以下、ＥＥＰＲＯＭ：Electrical Erasable/Programable Read-Only Memoryという。）等のメモリの駆動電源がＯＦＦの状態にされても記憶素子の持つ記憶内容が消えないで保持される不揮発性の半導体メモリからなり、バッファメモリ１５から供給される音声データを記憶すると共に、後述するように、どの領域に記憶したか示す等の音声データを管理する管理情報（以下、ＴＯＣ情報という。）を記憶する。具体的には、半導体メモリ９は、例えば、１６Ｍビットの容量を有し、この半導体メモリ９には、後述するＳＰモードでは２００〜３４００Ｈｚの音声信号に対応した音声データを８分間記憶でき、ＬＰモードでは２００〜１７００Ｈｚの音声信号に対応した音声データを１６分間記憶できるようになっている。
【００１９】
一方、再生部２０は、上述の図１に示すように、半導体メモリ９から読み出された音声データを音声信号に変換するデコーダ２１及びフィルタ２２と、フィルタ２２からの音声信号を増幅してスピーカ２４に供給する増幅器２３とを備える。
【００２０】
デコーダ２１は、記録部１０のエンコーダ１４に対応したものであり、半導体メモリ９から読み出された音声データ、すなわちＡＤＰＣＭ方式で符号化された音声データを復号化して、いわゆるＰＡＭ信号を生成し、フィルタ２２は、このＰＡＭ信号から音声帯域以上の高周波成分を除去して、音声信号を出力する。増幅器２３は、デコーダ２１から供給される音声信号を増幅してスピーカ２４を駆動する。かくして、録音された音がスピーカ２４から出力される。
【００２１】
制御部３０は、上述の図１に示すように、このＩＣレコーダ１の動作を制御するためのプログラムが記憶されているＲＯＭ３１と、ＲＯＭ３１に記憶されているプログラムを実行して、半導体メモリ９や記録部１０を制御するマイクロコンピュータ（以下、ＣＰＵという。）３２と、時刻を計数するタイマ３３と、時刻やプログラムの実行結果等を一時的に記憶するランダム・アクセス・メモリ（以下、ＲＡＭ：Randam Access Memoryという。）３４とを備える。
【００２２】
この制御部３０には、操作部６０に設けられている各種押しボタン６１からの信号が供給されており、ＣＰＵ３２は、押しボタン６１が押されると、その押しボタン６１に対応したプログラムをＲＯＭ３１から読み出して実行し、各部を制御する。例えば後述する録音開始ボタン６１ｋが押されると、ＣＰＵ３２は、録音に対応したプログラムをＲＯＭ３１から読み出して実行し、増幅器１２、ＡＧＣ１３、エンコーダ１４等を動作させ、バッファメモリ１５で所定時間遅延された音声データを、半導体メモリ９の例えば空いてる領域に音声データを記憶する制御を行う。すなわち、制御部３０は、半導体メモリ９に対する音声データの書込及び読出を制御しており、Ａ、Ｂの２つファイルにそれぞれ音声データを９９件、それぞれを識別するインデックス番号を付けて書き込む制御を行い、また、インデックス番号に基づいて音声データを読み出す制御を行う。また、ＣＰＵ３２には、タイマ等を動作させるための水晶発振器３５が接続され、例えば、半導体メモリ９に記録されている音声データを所定時刻に読み出させる。また、この制御部３０には、表示部４０が接続されており、ＣＰＵ３２は、このＩＣレコーダ１の動作状態や操作手順を表示部４０に表示する。すなわち、表示部４０は、低消費電力の液晶表示パネル４１と、この液晶表示パネル４１を照明するためのバックライト４２とを備え、例えば操作部６０のメニュー／送りボタン６１ａが押されると、ＣＰＵ３２は、表示部４０に日付、時刻を順に表示し、利用者は、この表示を見ながらタイマを合わせることができる。
【００２３】
ここで、操作部６０の詳細について、図１及び図２を用いて説明する。図２に示すＩＣレコーダ１は、携帯用であり、手のひらサイズの大きさに構成された外装筐体の内部には、上述した記録部１０、再生部２０等の電気回路が実装されたプリント基板が配設されている。また、このＩＣレコーダ１は、通常ユーザが右手で行う筆記作業等の作業と併用して使用できるように左手で把持し易く形成されている。そして、この外装筐体には、操作部６０を構成する押しボタン６１が配設されている。さらには押しボタン６１は、操作したことを利用者に確認させ、操作の確実性を向上させるために、押しボタンを押したことが肌で感じられる、いわゆるクリック機構が付いた押ボタンスイッチが用いられている。
【００２４】
この操作部６０を構成する押しボタン６１は、メニュー／送りボタン６１ａと、再生の開始するための再生ボタン６１ｂと、インデックス番号を設定するための戻り／送りボタン６１ｃと、ファイルを切り換えるためのファイル切換ボタン６１ｄと、録音等を停止するための停止ボタン６１ｅと、ＳＰモードとＬＰモードを切り換えるためのＳＰ／ＬＰボタン６１ｆと、バックライト４２を点灯するためのライトボタン６１ｇと、表示ボタン６１ｈと、インデックスを設定するためのインデックスボタン６１ｉと、半導体メモリ９に記憶されている音声データを消去するための消去ボタン６１ｊと、録音を開始するための録音開始ボタン６１ｋとを備える。そして、これら操作ボタンのうち使用頻度の高い再生ボタン６１ｂと戻り／送りボタン６１ｃは、外装筐体の図２中左上に切り欠かれて形成された切欠部の側面部に配設され、ユーザが左手の親指で操作し易くしている。また、同じく使用頻度の高い録音開始ボタン６１ｋは、左手の親指で操作できるように外装筐体の主面部に他より大きな形状をした押しボタンにより形成されている。
【００２５】
また、この外装筐体には、その主面部に上述したマイクロホーン１１、液晶表示パネル４１、スピーカ２４が配設されている。このＩＣレコーダ１は、上述の通り携帯用に優れるように小型に形成されていることから、マイクロホーン１１と、録音開始ボタン６１ｋが近い位置に設けられている。したがって、ＩＣレコーダ１は、詳細は後述するが録音開始ボタン６１ｋが押された際に生じるクリック音がマイクロホーン１１より入力されることになるが、これを防止するためバッファメモリ１５で所定時間音声データを遅延させている。
【００２６】
また、操作部６０は、ホールドスイッチ６２と、録音又は再生中であることを示す録音／再生ランプ６３と、再生音の大きさを調整するボリューム６４と、イヤホーンジャック６５とを備える。録音／再生ランプ６３、図２に示すように、使用中に目視し易くするため外装筐体の主面部に配設され、ホールドスイッチ６２、ボリューム６４及びイヤホーンジャック６５は、比較的使用頻度が少ないことから外装筐体の側面部に形成されている。
【００２７】
次に、電源部５０について説明する。電源部５０は、例えば図３に示すように、電池５１と、電池５１の出力電圧を昇圧するＤＣ／ＤＣコンバータ５２と、電池５１の出力電圧を検出する電圧検出回路５３と、ＤＣ／ＤＣコンバータ５２の出力電圧で充電するコンデンサ５４とを備える。
【００２８】
上述したようにこのＩＣレコーダ１は、携帯用の手のひらサイズのものであり、電池５１は、装置全体を小型化するために、単４型の乾電池１本からなる。ＤＣ／ＤＣコンバータ５２は、電池５１の出力電圧、すなわち１．５ボルトを、増幅器１２、２３、ＣＰＵ３２等の回路が動作するのに必要な電圧に昇圧して、その電圧の電流を各回路に供給する。
【００２９】
一方、電圧検出回路５３は、電池５１の出力電圧を検出して、電池５１の出力電圧が、例えば０．８ボルトとなったときに、ＤＣ／ＤＣコンバータ５２の動作を停止する。したがって、電池５１に蓄電されている電力は、その出力が０．８ボルト等の所定値になった後は消費されることがない。すなわち、ＤＣ／ＤＣコンバータ５２を用いていても、それに起因して電池５１の電圧が急激に低下することを防止することができ、その結果として漏液を防止することができる。
【００３０】
コンデンサ５４は、ＤＣ／ＤＣコンバータ５２と制御部３０のタイマ３３のみを接続した電源線とアース間に接続されており、ＤＣ／ＤＣコンバータ５２の出力電圧で充電される。したがって、タイマ３３は、ＤＣ／ＤＣコンバータ５２が動作しているときは、このＤＣ／ＤＣコンバータ５２から供給される電流で動作し、電池５１の出力電圧が低下したり、電池を交換するために電池５１を取り出してＤＣ／ＤＣコンバータ５２が停止しているときには、コンデンサ５４からの電流で動作する。すなわちコンデンサ５４は、いわゆるバックアップコンデンサであり、そのバックアップ可能な時間は、例えば約３分間である。
【００３１】
ところで、このように構成されるＩＣレコーダ１は、録音操作される際には、例えば図４のように行われる。すなわち、先ず、ステップＳＴ１において、ＳＰ／ＬＰボタン６１ｆが押されると、記録方式がＬＰモードかＳＰモードかの選択が行われる。すると、液晶表示パネル４１には、「ＳＰ」又は「ＬＰ」の表示がされる。次に、ステップＳＴ２において、ファイル切換ボタン６１ｄが押されると、半導体メモリ９に設けられた「Ａ」又は「Ｂ」のファイルが選択され、選択されたファイルが液晶表示パネル４１に表示される。
【００３２】
そして、ステップＳＴ３において、録音開始ボタン６１ｋが押されると、録音状態が開始され、ユーザがマイクロホーン１１に向かって話すと、半導体メモリ９の指定された領域に音声データが書き込まれる。また、ステップＳＴ４において、停止ボタン６１ｅが押されることで、録音状態が解除される。この際、半導体メモリ９には、音声データが記録されると共に、ＴＯＣ情報、ファイル番号及び録音されている音声信号を表示するインデックス番号が記録される。ユーザが別の音声データを記録することを所望する場合には、最初の録音操作が行われた直後であれば、最初に設定されたモード及びファイルと同様の領域で最初に付与されたインデックス番号の次に音声情報が記録される。すなわち、上記ステップＳＴ１及びステップＳＴ２で行われるモード選択操作とファイル選択操作を省略することができる。
【００３３】
次に、記録されている音声データを再生する場合には、例えば図５のように行われる。すなわち、先ず、ステップＳＴ１において、ファイル切換ボタン６１ｄが押されると、半導体メモリ９に設けられた「Ａ」又は「Ｂ」のファイルが選択され、選択されたファイルが液晶表示パネル４１に表示される。次に、ステップＳＴ２において、戻り／送りボタン６１ｃを押すことで、ユーザが所望する半導体メモリ９に記録されたインデックス番号が選択される。そして、ステップＳＴ３において、再生ボタン６１ｂと、ユーザが所望する音声データが再生される。この際、ＩＣレコーダ１は、再生動作を停止させる場合には、停止ボタン６１ｅを押すことで動作が停止される。また、次の要件に進みたい場合又は戻りたい場合には、再生及び録音動作がなされていない状態で、戻り／送りボタン６１ｃを押すことで、次又は前のインデックス番号が選択され再生される。
【００３４】
上述のようにＩＣレコーダ１は、録音開始ボタン６１ｋが押されることで録音が開始される。この際、ＩＣレコーダ１は、小型に形成されていることから、マイクロホーン１１と録音開始ボタン６１ｋが近くに設けられている。そのため、ＩＣレコーダ１は、上述の通り録音開始ボタン６１ｋ及び停止ボタン６１ｅを押した際のクリック音がマイクロホーン１１より音声データとして録音されることを防止するため、マイクロホーン１１より入力された音声データをバッファメモリ１５を用いて音声データを一定時間遅延させている。
【００３５】
具体的には、例えば図６（Ａ）に示すように、録音開始ボタン６１ｋを時刻ｔ１１で押して、時刻ｔ２１で離し、停止ボタン６１ｅを、図６（Ｂ）に示すように、時刻ｔ３１で押して、時刻ｔ３３で離すと、図６（Ｃ）に示すように、時刻ｔ１１、ｔ２１、ｔ３１においてそれぞれ最大振幅を有し、振幅が徐々に減衰しながら時間Ｔ間継続する音が発生する。したがって、マイクロホーン１１には、図６（Ｄ）に示すように、録音しようとする音にクリック音が重畳した音が入力される。
【００３６】
ここで、ＩＣレコーダ１は、上述の通り、音声データを所定の時間遅延させるバッファメモリ１５を備え、エンコーダ１４から供給される音声データを所定時間遅延して半導体メモリ９に供給する。したがって、録音は、時刻ｔ11において録音開始ボタン６１ｋが押されると、バッファメモリ１５での遅延時間δ1と、クリック音が利用者の耳に聞こえない程度に十分小さくなる所定時間λ1との分だけ遅らせて、図６（Ｅ）（Ｆ）に示すように、時刻ｔ12より開始される。なお、遅延時間δ1と所定時間λ1とを合わせて第１の所定時間という。
【００３７】
また、クリック音は、図６（Ｃ）に示すように、録音開始ボタン６１ｋを離す際においても時刻ｔ21から時刻ｔ23の間発生する。そのため、録音は、録音開始ボタン６１ｋを離す際には、図６（Ｅ）（Ｆ）に示すように、時刻ｔ22と時刻ｔ23の間中断される。すなわち、録音は、録音開始ボタン６１ｋが離された時刻ｔ21からバッファメモリ１５の遅延時間δ2（第２の所定時間）だけ遅延した時刻ｔ22まで続けられ、中断される。そして、録音は、時刻ｔ22から録音開始ボタン６１ｋを離す際に生じるクリック音が利用者の耳に聞こえない程度に十分小さくなる所定時間λ2（第３の所定時間）だけ遅延させて、時刻ｔ23において再開される。
【００３８】
さらには、ＩＣレコーダ１の録音動作は、上述の通り停止ボタン６１ｅを押すことで停止される。そのため、クリック音は、図６（Ｃ）に示すように、発生する。したがって、録音は、図６（Ｅ）（Ｆ）に示すように、停止ボタン６１ｅが押された時刻ｔ31からバッファメモリ１５の遅延時間δ3（第４の所定時間）だけ遅延された時刻ｔ32において録音が終了される。
【００３９】
以上のように、音声データは、図６（Ｇ）に示すように、録音が時刻ｔ12から時刻ｔ22の間と時刻ｔ23からｔ32の間にされる。したがって、半導体メモリ９には、時刻ｔ11から時刻ｔ12までと、時刻ｔ22から時刻ｔ23までの間記録されないことになり、録音開始ボタン６１ｋが押された際のクリック音を除去することができる。また、これにより半導体メモリ９には、時刻ｔ11から時刻ｔ12までと、時刻ｔ22から時刻ｔ23までの間の音声データが記録されないことになるが、この時間は極めて短いため、音声データの１部が欠落することによる不都合を生じさせることもない。なお、遅延時間δ1、δ2、δ3は、本実施例の場合においては、１０μｓ乃至２０μｓが適当とされる。すなわち、これらの時間は、録音開始ボタン６１ｋで発生したクリック音がマイクロホーン１１にまで伝わる時間であり、ＩＣレコーダ１の大きさ、録音開始ボタン６１ｋとマイクロホーン１１との距離、位置関係等を考慮して決定される。
【００４０】
なお、以上半導体メモリ９を記録媒体としたＩＣレコーダ１について詳細に詳細に説明したが、本発明は、例えばテープ状記録媒体やディスク状記録媒体を記録媒体として用いる外装筐体内にマイクロホーンが内蔵された音声記録再生装置であればよいのは勿論である。また。ＩＣレコーダ１は、録音を開始し停止する押しボタンスイッチを録音開始ボタン６１ｋと停止ボタン６１ｅとに分けて構成されるが、録音開始ボタン６１ｋと停止ボタン６１ｅを１つの押しボタンスイッチにより構成し、操作性の向上を図ってもよいのは勿論である。
【図面の簡単な説明】
【００４１】
【図１】ＩＣレコーダの構成図である。
【図２】ＩＣレコーダの正面図である。
【図３】ＩＣレコーダの電源部の構成図である。
【図４】ＩＣレコーダの録音動作を説明するための図である。
【図５】ＩＣレコーダの再生動作を説明するための図である。
【図６】録音開始ボタン及び停止ボタンが押され、また離されるタイミングと、これとの関係でクリック音と、マイクロホーンと、バッファメモリの出力と、録音区間と録音された結果を説明するための図である。
【図７】従来の音声信号録音装置における録音開始ボタンスイッチと録音停止ボタンスイッチを押した際に発生するクリック音と、このクリック音が記録される関係を説明するための図である。
【符号の説明】
【００４２】
１ ＩＣレコーダ、９ 半導体メモリ、１０ 記録部、１１ マイクロホーン、１２ 増幅器、１３ ＡＧＣ、１４ エンコーダ、１５ バッファメモリ、２０再生部、２１ デコーダ、２２ フィルタ、２３ 増幅器、２４ スピーカ、３０ 制御部、３１ ＲＯＭ、３２ ＣＰＵ、３３ タイマ、３４ ＲＡＭ、３５ 水晶発振器、４０ 表示部、４１ 液晶表示パネル、４２ バックライト、５０ 電源部、５１ 電池、５２ ＤＣ／ＤＣコンバータ、５３ 電圧検出回路、５４ コンデンサ、６０ 操作部、６１ａ〜６１ｋ 押しボタン
【図１】
2008033353.tif 000003
【図２】
2008033353.tif 000004
【図３】
2008033353.tif 000005
【図４】
2008033353.tif 000006
【図５】
2008033353.tif 000007
【図６】
2008033353.tif 000008
【図７】
2008033353.tif 000009